(57)【要約】      （修正有）【課題】開放型の安全キャビネットや局所排気装置で抗癌剤や有機溶剤等を調製する際に、作業者が誤ってシリンジの針で手を刺したり、手袋を薬剤や有機溶剤等で汚したりしない暴露防止箱を提供する。【解決手段】本発明の暴露防止箱１０は、開放型の安全キャビネット１００や局所排気装置の作業室に設置して用いられる。暴露防止箱は、底壁、天壁、及び側壁からなる中空の箱体をなし、底壁に薬剤密封容器を保持する容器保持部５３を備えている。底壁は、作業室の下部空間へ連通する排気口５１ａを有し、天壁は、容器保持部に対向する位置に充填具挿入口６３を有している。【選択図】図１
2018187107.tif 000002
【特許請求の範囲】
【請求項１】
作業用開口部から流入する外部の空気と、作業室内の空気とを前記作業室の下部空間へ吸引することにより前記作業用開口部を気流によりシールドする開放型の安全キャビネットや局所排気装置の作業室に付設し、シリンジやピペット等の充填具を用いて、薬剤密封容器内の薬剤や有機溶剤の調製を行う際に用いる暴露防止箱であって、
底壁、天壁、及び側壁からなる中空の箱体と、
前記底壁に設けられ、薬剤密封容器を保持する一又は複数の容器保持部と
を備え、
前記底壁は、前記作業室の下部空間へ連通する排気口を有し、
前記天壁は、前記容器保持部に対向する位置に充填具挿入口を有することを特徴とする暴露防止箱。
【請求項２】
前記天壁、及び前記側壁は、透明材料からなる請求項１に記載の暴露防止箱。
【請求項３】
前記箱体は、前記側壁、及び前記天壁が一体に形成されて覆い箱をなし、前記底壁に対し前記覆い箱を着脱して開閉するよう構成されている請求項１、又は請求項２に記載の暴露防止箱。
【請求項４】
前記側壁は、シリンジを横倒しにした状態で針先から挿入可能な気泡抜き窓を有する請求項１から請求項３のいずれか１項に記載の暴露防止箱。
【請求項５】
前記底壁は、平面視で、前記気泡抜き窓のシリンジ挿入方向に、排気口を有する請求項４に記載の暴露防止箱。
【請求項６】
前記容器保持部は、粘着シートに薬剤密封容器を固着するよう構成されている請求項１から請求項５のいずれか１項に記載の暴露防止箱。
【請求項７】
前記容器保持部は、巻ばねで薬剤密封容器を包持するよう構成されている請求項１から請求項５のいずれか１項に記載の暴露防止箱。
【請求項８】
使用するシリンジの外径に合わせて前記充填具挿入口の内径を変更すべく前記充填具挿入口に設置するアダプターを有する請求項１から請求項７のいずれか１項に記載の暴露防止箱。
【請求項９】
前記充填具挿入口は、長穴状をなし、前記容器保持部は、前記充填具挿入口に沿って揺動可能に支持されている請求項１から請求項８のいずれか１項に記載の暴露防止箱。
【請求項１０】
作業用開口部から流入する外部の空気と、作業室内の空気とを前記作業室の下部空間へ吸引することにより前記作業用開口部を気流によりシールドする開放型の安全キャビネット、又は局所排気装置であって、
請求項１から請求項９のいずれか１項に記載の暴露防止箱を備え、
前記作業室の底壁をなす作業板を貫通して前記下部空間へ連通する暴露防止箱設置用開口部と、前記暴露防止箱設置用開口部を塞ぐ平蓋とを有し、
前記暴露防止箱は、前記平蓋を開放した状態で、前記暴露防止箱設置用開口部に設置される安全キャビネット、又は局所排気装置。
【請求項１１】
前記暴露防止箱を複数備え、各暴露防止箱が大きさの異なる充填具挿入口を有する請求項１０に記載の安全キャビネット、又は局所排気装置。
【発明の詳細な説明】
【技術分野】
【０００１】
この発明は、抗癌剤の調製時にシリンジを用いてアンプルやバイアル等の薬剤を溶解する作業において、あるいは、毒性の高い有機溶剤を取り扱う際において、抗癌剤や有機溶剤等による暴露を防止する暴露防止箱に関し、特に、作業用開口部を備えた開放型の安全キャビネットや局所排気装置に付設して用いる暴露防止箱、並びにこれを備えた安全キャビネット、及び局所排気装置に関する。
【背景技術】
【０００２】
近年、作業用開口部を気流でシールドする開放型のバイオハザード対策用クラスIIキャビネットの全排気型Ｂ２以上のタイプや、毒性の高い有機溶剤の使用に際して義務付けられている局所排気装置であっても、抗癌剤や有機溶剤等の調製時の暴露事故を十分に防止できない可能性が指摘されている。
【０００３】
そのため、抗癌剤の調製時には、シリンジニードルとバイアルの連結部を被覆した状態で薬液の移送が行えるクローズドシステム（閉鎖式薬物混合システム）が利用されている。例えば、特許文献１では、シリンジニードルとバイアルの連結部に加えて、シリンジの基端部を封止し、シリンジ基端部からの薬剤の流出をも防止するとともに、シリンジのピストン後方の空気室からバイアル内に空気を流入させる空気針を設け、薬液移送時におけるバイアル内の圧力を一定にすることで薬液の蒸発を防止するコネクターが提案されている。
【０００４】
一方、特許文献２では、安全キャビネット内に設置することで２重の安全性を確保するようにした小型調整ケースが提案されている。特許文献２の調整ケースは、一対の開口部から手を挿入してケース内で薬剤を調整するもので、活性炭フィルターを設けた排気口を介して排気を行うよう構成されている。
【先行技術文献】
【特許文献】
【０００５】
【特許文献１】特表２０１６−５２１１７６号公報
【特許文献２】実用新案登録第３１４５０２０号公報
【発明の概要】
【発明が解決しようとする課題】
【０００６】
しかし、特許文献１等のクローズドシステムは、高価な上にディスポーザブルのためコストが嵩み、揮発性や毒性の高いものに使用範囲が限られるという問題が有る。また、特許文献２の小型調整ケースは、ケース内に手を入れて作業を行うため、作業者が誤って針で手を刺してしまったり、霧散した薬剤が作業者の手袋に付着したりする問題がある。
本発明は、上記課題に鑑みてなされたものであり、開放型のクラスIIキャビネットや局所排気装置で作業をする場合であっても、低コストで暴露防止事故を抑制でき、かつ誤って作業者が針で手を刺したり薬剤や有機溶剤を手袋に付着させたりすることのない暴露防止箱の提供を目的とする。
【課題を解決するための手段】
【０００７】
上記の課題を解決するためになされた発明は、作業用開口部から流入する外部の空気と、作業室内の空気とを前記作業室の下部空間へ吸引することにより前記作業用開口部を気流によりシールドする開放型の安全キャビネットや局所排気装置の作業室に付設し、シリンジやピペット等の充填具を用いて、薬剤密封容器内の薬剤や有機溶剤の調製を行う際に用いる暴露防止箱であって、底壁、天壁、及び側壁からなる中空の箱体と、前記底壁に設けられ、薬剤密封容器を保持する一又は複数の容器保持部とを備え、前記底壁は、前記作業室の下部空間へ連通する排気口を有し、前記天壁は、前記容器保持部に対向する位置に充填具挿入口を有することを特徴とする。
【０００８】
このように、本発明の暴露防止箱では、底壁に薬剤密封容器を保持する容器保持部を設け、天壁の容器保持部と対向する位置に充填具挿入口を設けたので、容器保持部で薬剤密封容器を保持して、充填具挿入口から先端を下にしてシリンジやピペットを挿入することで、暴露防止箱の内部で、バイアル（薬剤密封容器）にシリンジの針を差込んだり、蓋を開けた有機溶剤の容器にピペットの先端を挿入することができる。これにより、薬剤が漏出しやすい、充填具と薬剤密封容器の連結部を作業者から物理的に隔離でき、また、内部に手を入れることなく薬剤の移送作業ができるので、シリンジの針で誤って手を刺したり、作業者の手袋に霧散した薬剤や有機溶剤が付着したりすることを抑制できる。
また、底壁に安全キャビネットや局所排気装置の下部空間に連通する排気口を設け、暴露防止箱内部の空気を、安全キャビネットや局所排気装置の陰圧機能を利用して、当該下部空間へ吸引するよう構成したため、簡易な構造で暴露防止箱内部に漏出した薬剤や有機溶剤の外部流出を防止できる。
【０００９】
前記天壁、及び前記側壁は、透明材料からなることが好ましい。このように、側壁、及び天壁を透明にすることで、暴露防止箱の外部から、薬剤密封容器と、針やピペットの先端部の位置を確認しながら薬剤の調整等を行うことができ、また、暴露防止箱の向こう側へ不用意にシリンジを落とした場合等にも、暴露防止箱の手前から、シリンジの位置を確認して拾うことができるため、この際にも誤って針で手を刺すことがない。
【００１０】
前記箱体は、前記側壁、及び前記天壁が一体に形成されて覆い箱をなし、前記底壁に対し前記覆い箱を着脱して開閉するよう構成されていることが好ましい。こうすることで、暴露防止箱の内部を容易に清掃することができる。
【００１１】
前記側壁は、シリンジを横倒しにした状態で針先から挿入可能な気泡抜き窓を有することが好ましい。こうすることで、シリンジから薬剤密封容器に溶解液を注入したのちなどに、気泡抜き窓から暴露防止箱内部にシリンジの先端を差し込み、シリンジ内部に侵入した気泡を針先から排出することができる。
【００１２】
前記底壁は、平面視で、前記気泡抜き窓のシリンジ挿入方向に、排出口を有することが好ましい。こうすることで、シリンジから排出された空気を作業室へ漏らすことなく、排出することができる。
【００１３】
前記容器保持部は、粘着シートに薬剤密封容器を固着するよう構成されていることが好ましい。こうすることで、多様なサイズの薬剤密封容器を容器保持部で保持でき、また薬剤密封容器が倒れることを抑制できる。
【００１４】
前記容器保持部は、巻ばねで薬剤密封容器を固定するよう構成されていてもよい。こうすることで、より安定して薬剤密封容器を支持することができる。
【００１５】
本発明の暴露防止箱は、使用するシリンジの外径に合わせて前記充填具挿入口の内径を変更すべく前記充填具挿入口に設置するアダプターを有することが好ましい。使用するシリンジやピペットの外径に合わせたアダプターを装着することで、充填具挿入口に挿入するシリンジやピペットを、確実に案内することができる。また、１つの暴露防止箱を、複数種のシリンジやピペットに用いることができる。
【００１６】
前記充填具挿入口は、長穴状をなし、前記容器保持部は、前記充填具挿入口に沿って揺動可能に支持されていることが好ましい。こうすることで、例えば、シリンジの針を薬剤密封容器に刺した状態で、シリンジ、及び薬剤密封容器を、長穴状の充填具挿入口に沿って揺動させることができる。
【００１７】
本発明は、作業用開口部から流入する外部の空気と、作業室内の空気とを前記作業室の下部空間へ吸引することにより前記作業用開口部を気流によりシールドする開放型であって、上記いずれかの暴露防止箱を備える安全キャビネット、及び局所排気装置を含む。
そして、本発明の安全キャビネット、及び局所排気装置は、前記作業室の底壁をなす作業板を貫通して前記下部空間へ連通する暴露防止箱設置用開口部と、前記暴露防止箱設置用開口部を塞ぐ平蓋とを有し、前記暴露防止箱が、前記平蓋を開放した状態で、前記暴露防止箱設置用開口部に設置されることを特徴とする。
このように、安全キャビネットの作業板に下部空間へ連通する暴露防止箱設置用開口部を設け、暴露防止箱を暴露防止箱設置用開口部に設置するようにしたので、暴露防止箱底壁の排気口を容易に安全キャビネット等の下部空間に連通させることができる。さらに、暴露防止箱設置用開口部を塞ぐ平蓋を設けたので、薬剤等の調製を行わないときには、暴露防止箱を取り外し、暴露防止箱設置用開口部を平蓋で塞げば、作業台を広く用いることができる。
【００１８】
本発明の安全キャビネット、及び局所排気装置は、前記暴露防止箱を複数備え、各暴露防止箱が大きさの異なる充填具挿入口を有することが好ましい。こうすることで、適宜の暴露防止箱を選ぶだけで、容易に多様なサイズのシリンジやピペットで薬剤調製や有機溶剤の取扱いを行うことができる。また、シリンジ等の径にあった充填具挿入口を選択可能とすることで、シリンジ等の側壁と充填具挿入口の間隙を小さくできるので、暴露防止箱の外に薬剤が漏出することを、より効果的に抑制できる。
【発明の効果】
【００１９】
以上説明したように、本発明の暴露防止箱、安全キャビネット、及び局所排気装置によれば、低コストで暴露事故を抑制可能とし、また、誤って針で手を刺したり、手袋に霧散した薬剤や有機溶剤等を付着させたりする事故を抑制できる。
【図面の簡単な説明】
【００２０】
【図１】本発明の第１実施形態に係る安全キャビネットの作業台周辺を示した部分斜視図である。
【図２】図１に示した暴露防止箱の分解斜視図である。
【図３】図１に示した暴露防止箱の（ａ）底壁の平面図、（ｂ）覆い箱の平面図、（ｃ）覆い箱の正面図である。
【図４】図２に示した暴露防止箱を用いて薬剤密封容器内の薬剤を調製する様子を示した説明図である。
【図５】図１の暴露防止箱付安全キャビネットの作業台の平面図である。
【図６】図１の安全キャビネットの暴露防止箱を取り外した状態の作業台の横断面図である。
【図７】図１の安全キャビネットに暴露防止箱の支持台を設置した状態の作業台の平面図である。
【図８】図１の安全キャビネットに暴露防止箱を設置する様子を示す作業台の横断面図である。
【図９】図１の安全キャビネット内の空気の流れを側面視で示す説明図である。
【図１０】本発明の第２実施形態に係る暴露防止箱の内部を透視して示した（ａ）正面図、及び（ｂ）平面図である。
【図１１】図１０に示した暴露防止箱の箱体の（ａ）正面図、（ｂ）右側面図、（ｃ）平面図、（ｄ）底面図である。
【図１２】図１０に示した暴露防止箱を用いて薬剤密封容器内の薬剤を調製する様子を示した説明図である。
【図１３】図１２のアダプターの（ａ）平面図、（ｂ）縦断面図（ｃ）である。
【図１４】本発明の第３実施形態に係る容器保持部の（ａ）正面図、（ｂ）ネック部保持部の平面図、（ｃ）胴部保持部の平面図、（ｄ）台座の平面図、（ｅ）分解正面図、（ｆ）使用状態を示す正面図である。
【図１５】本発明の第４実施形態に係る暴露防止箱である。
【図１６】図１５の暴露防止箱の使用方法を示す説明図である。
【図１７】本発明の第５実施形態に係る暴露防止箱の容器保持部の（ａ）全体の正面図、（ｂ）ネック保持部の平面図、（ｃ）下側保持部の平面図（ｄ）全体の平面図である。
【図１８】本発明の第５実施形態に係る暴露防止箱の（ａ）正面図、（ｂ）透視正面図である。
【発明を実施するための形態】
【００２１】
以下、適宜図面を用いながら本発明の実施形態について詳述する。尚、本発明は、以下の実施形態に限られるものではない。また、各実施形態の構成は、適宜に組み合わせることが可能である。
【００２２】
（第１実施形態）
図１は、本発明の第１実施形態に係る安全キャビネット１００を示している。安全キャビネット１００は、日本工業規格ＪＩＳＫ３８００におけるバイオハザード対策用クラスIIキャビネットの分類Ｂ２に属する開放型・全排気型に構成されている。
安全キャビネット１００は、図１に示すように、シャッター１と、作業台２と、これらの間に設けられる作業用開口部３と、暴露防止箱１０とを主に備える。作業用開口部３は、作業台２手前のグレーチング２４の吸気口２４ａから、作業室４の空気と作業用開口部３から流入した空気を吸引して設けた気流により、シールドされている。
【００２３】
暴露防止箱１０は、図２に示すように、支持台５と、覆い箱６とを備えている。
支持台５は、ステンレス鋼板を板金・溶接加工して形成され、矩形平板状をなす底壁５１と、底壁５１の下面の４隅から垂下する４本の支持脚５２，５２，…とを有している。
底壁５１は、覆い箱６と共に、直方体の箱体を形成する。
隣接する支持脚５２は、下端が横桟１１（図２では、不図示。図８参照。）で互いに連結固定されている。底壁５１は、上面にシリコン製の矩形の板状部材からなる容器保持部５３が貼着されている。容器保持部５３は、上下面ともに、いわゆる弱粘着材層を設け、載置する薬剤密封容器を脱着自在に固着して支持するとともに、底壁５１からも脱着自在として、作業ごとに交換するディスポーザブル部材としている。底壁５１は、容器保持部５３を取り囲むように、一又は複数（図示の例では４つ）の排気口５１ａが設けられ、また、平面視で左右の一端側（図２の左側）の端辺に沿って、排気口５１ｂが設けられている。履き口５１ｂは、平面視で、気泡抜き窓６５のシリンジ挿入方向と交差するよう設けられている。
【００２４】
覆い箱６は、アクリルや塩化ビニル等の樹脂、又はガラス等の耐薬性の透明な板材により形成され、図２に示したように、天壁６２と四方の側壁６４ａ~６４ｄからなる５面を有し、下方に開口した直方体の箱型をなしている。覆い箱６は、平面視で底壁５１と略同じ大きさに設けられ、下方の開口部６１が、不図示の嵌合手段により、底壁５１の周縁に気密に、かつ脱着自在に嵌合される。また、天壁６２には、容器保持部５３に対向する、容器保持部の直上となる位置に充填具挿入口６３が設けられ、正面視右側の側壁６４ａには、気泡抜き窓６５が設けられている。
【００２５】
充填具挿入口６３は、天壁６２に穿設した円形孔からなり、その周囲に角枠６３ｂが設けられ、角枠６３ｂに嵌合する扉６３ａにより開閉される。気泡抜き窓６５は、矩形の貫通孔からなり、扉６５ａにより開閉される。
【００２６】
暴露防止箱１０は、図１に示すように、安全キャビネット１００の作業台２の中央に、前後２列に、計５つが配設されている。５つの暴露防止箱１０は、それぞれ径の異なる充填具挿入口６３、気泡抜き窓６５を備えている。
前側２つの暴露防止箱１０、及び後側３つの暴露防止箱１０（底壁５１）は、隣接する支持脚５２や支持台５が横桟１１（図８参照）により連結されて一体的に着脱可能に構成されている。
隣接する底壁５１の間は、開口部１２（図１参照）が設けられている。
【００２７】
作業台２の作業板２１は、図５に示すように、前後２つの暴露防止箱設置用開口部２２，２３を有している。暴露防止箱設置用開口部２２，２３は、図６に示すように、作業板２１を上下方向に貫通し、作業室４と作業台２の下部空間７を連通している。前後の暴露防止箱設置用開口部２２，２３は、図７に示すように、それぞれ２個と３個の支持台５を収容する。この際、支持台５は、図８に示すように、支持脚５２の下端を下部空間７の底面７１に当接するように設置され、底壁５１が作業板２１と面一になるよう設けられている。
作業台２は、暴露防止箱１０を用いないとき、図６に示すように、暴露防止箱設置用開口部２２，２３を、平蓋２２ａ、２３ａで塞ぐことで、広く作業台として用いることができる。
尚、暴露防止箱設置用開口部２２，２３は、設置する暴露防止箱１０の個数に応じて変更することも可能である。また、暴露防止箱１０を設置する方法は、４本の脚で設置する方法の他、作業台２にビスで取り付ける等各種の方法を用いることができる。
【００２８】
次に、安全キャビネット１００を用いて、薬剤の調整を行う際の手順と各部の作用効果について説明する。
安全キャビネット１００を用いて、薬剤の調整を行う際には、まず、図７に示したように、作業台２の暴露防止箱設置用開口部２２，２３に、支持台５を設置する。図７では、２つの暴露防止箱設置用開口部２２，２３の両方に支持台５を設置した状態を示したが、手前側の開口部２２、又は奥側の開口部２３だけに支持台５を設置してもよい。
【００２９】
支持台５を設置したら、図４（ａ）に示すように、支持台５の容器保持部５３にバイアル等の薬剤密封容器Ａを、針刺し部となるゴム栓側を上側にして載置する。次いで、図４（ｂ）に示すように、薬剤密封容器Ａを収容するようにして、支持台５に覆い箱６を被せる。このとき、扉６３ａは、後の作業のために開放しておく。扉６５ａは、シリンジＢより気泡抜き等を行う時のみ開ける。支持台５に覆い箱６を被せると、充填具挿入口６３は、薬剤密封容器Ａの直上に位置するよう構成されている。
【００３０】
そして、この状態で、図４（ｃ）に示すように、充填具挿入口６３に針側からシリンジＢを差し入れ、透明な覆い箱６を通して内部の様子を視認しながら、薬剤密封容器Ａのゴム栓にシリンジＢの針を差し込んで、例えば、シリンジから薬剤密封容器Ａ内に輸液等を移送し薬剤を溶解する等の作業を行う。この際、シリンジは、全長の一部のみが、暴露防止箱１０の内部へ挿入され、ピストン作業は、暴露防止箱１０の外部にて行うことができる。また、この薬剤調整作業の間、気泡抜き窓６５は閉じておく。
薬剤の調整を完了したら、薬剤密封容器Ａから針を抜き、シリンジＢを充填具挿入口６３から抜き出す。
このように、安全キャビネンと１００では、暴露防止箱１０の中に手を入れずに薬剤調製ができ、シリンジの針で誤って手を刺すことが無い。
【００３１】
気泡抜き操作を行いたい場合、シリンジＢを覆い箱６から一端引抜き、図４（ｅ）に示すように、扉６３ａで充填具挿入口６３を閉じ、気泡抜き窓６５へシリンジＢを針先側から差し入れる。針先を排気口５１ｂの直上まで差し込み、透明な覆い箱６を通してシリンジＢ内の気泡を視認しながら、シリンジＢのピストンを押して針先から排出する。ここで排出された空気は、排気口５１ｂから作業台２の下部空間７へ排気される。
【００３２】
図９は、上記の薬剤調製作業をしている間の安全キャビネット１００の空気の流れを側面視で示している。図外の給気ファンにより、室内から吸引された空気が、ＨＥＰＡフィルター９で除塵・滅菌されて天壁９１から作業室４へ供給され、一方で、図外の排気ファンにより、作業台２の手前の吸気口２４ａを介して、作業用開口部３から流入した空気と作業室４内の空気が、下部空間７へ吸引される。作業室４内の空気は、作業室後壁の下部に設けられた吸引口８１から排気路８へも吸引される。
【００３３】
暴露防止箱１０では、作業室４の空気が、充填具挿入口６３を介して覆い箱６内に取り込まれ、排気口５１ａ，５１ｂを介して、下部空間７へ排出される。こうして、覆い箱６内に漏出した薬剤の有害塵埃等が下部空間７へ排出される。下部空間７へ排出された空気は排気路８を通って、図外の排気ファン、及びＨＥＰＡフィルターを介して室外へ全排気される。
【００３４】
暴露防止箱１０は、薬剤の調製等の作業の完了後、抗癌剤等の除去のために、安全キャビネット１００内で、あるいは、安全キャビネット１００の外へ取り出して、洗浄する。容器保持部５３は、取り外して廃棄する。
このように、安全キャビネット１００は、作業の度に廃棄する部材が少ないため、経済的である。
【００３５】
（第２実施形態）
図１０、及び図１１は、本発明の第２実施形態に係る暴露防止箱２０を示している。暴露防止箱２０は、透明な板材により一体成型される直方体状の箱体２６０と、箱体２６０の内部に設けられる容器保持部２５３とを有している。箱体２６０を形成する透明な板材としては、アクリルや塩化ビニル等の樹脂、又はガラス等の耐薬性の板材が用いられる。また、この場合、箱体２６０の底壁２５１は、作業台２の一部とネジ等で固定することが好ましい。
【００３６】
箱体２６０は、図１０に示すように、底壁２５１が略正方形をなす上下方向に長い直方体をなしている。箱体２６０は、天壁２６２に、扉２６３ａにより開閉される充填具挿入口２６３を有し、右側（図１０の右側）の側壁２６４ａに、扉２６５ａで開閉される気泡抜き窓２６５を有している。正面の側壁２６４ｄには、薬剤密封容器Ａを出し入れする搬入口２６７（図１１参照）を備えている。搬入口２６７は、扉２６７ａにより開閉される。
【００３７】
底壁２５１の中央には、図１０に示すように、容器保持部２５３が設けられている。容器保持部２５３は、薬剤密封容器Ａを包持するつる巻ばねからなる容器包持具２５３ａと、容器包持具２５３ａを支持する円筒状の基台２５３ｂと、基台２５３ｂを底壁２５１に固定するフランジ２５３ｃを備えている。容器包持具２５３ａは、ボルトナット２５３ｅにより基台２５３ｂに固定され、フランジ２５３ｃはねじ２５３ｄにより底壁に固定されている。
容器保持部２５３は、異なる薬剤密封容器Ａの外形寸法に対応すべく、容器包持具２５３ａの内径の異なるものが複数備えられている。このため、第２実施形態に係る暴露防止箱２０は、１つで複数のサイズの薬剤密封容器Ａに対応できるので、安全キャビネット１００に１つだけ設置すれば足り、作業板２１暴露防止箱設置用開口を１つ設けるだけで済む。
【００３８】
底壁２５１は、図１０（ｂ）に示すように、容器保持部２５３の周囲に４つの長方形の排気口２５１ａを有している。排気口２５１ａの１つは、気泡抜き窓２６５のシリンジ挿入方向に設けられている。
また、底壁２５１の下面（外面）には、図１１（ｄ）に示すように、排気口２５１ａを取り囲むように、４枚の長方形の板材からなる脚基部２５２が設けられている。脚基部２５２には、不図示の支持脚が連結される。
【００３９】
暴露防止箱２０では、異なる径のシリンジＢに対応するために、図１３に示すような、シリンジＢの径に合わせて交換できる複数のアダプター２７を有している。アダプター２７は、偏平な円筒からなるシリンジ挿通部２７ａと、矩形の外枠ｂを充填具挿入口２６３へ案内するテーパー部２７ｃと、外枠２７ｂ、及びシリンジ挿通部２７ａを連結する支持部２７ｄとを備えている。複数のアダプター２７を全て図示することは省略したが、複数のアダプター２７は、シリンジ挿通部２７ａが使用するシリンジの外径に合わせて、それぞれ全て異なる内径に設けられている。
第２実施形態に係る暴露防止箱２０に用いる安全キャビネットにおいても、（特に図示はしないが、）作業台に暴露防止箱２０が隙間なく収まる暴露防止箱設置用開口部が設けられている。
【００４０】
暴露防止箱２０を用いて、薬剤密封容器Ａに薬剤を調整する際には、その準備として、まず、図１２（ａ）に示すように、充填具挿入口２６３に、使用するシリンジの外形に合ったアダプター２７を装着し、底壁２５１に使用する薬剤密封容器Ａの外径に合った容器保持部２５３を固定する。扉２６３ａは、このあと、扉２６７ａを開けやすいように、開放しておく。
【００４１】
この準備が完了したら、図１２（ｂ）に示すように、扉２６７ａを開放し、搬入口２６７から薬剤密封容器Ａを暴露防止箱２０内に搬入して容器保持部２５３ａにセットし、図１２（ｃ）に示すように、扉２６７ａを閉じる。
次に、作業室４内で、シリンジＢ内に溶解液を吸入し、充填具挿入口２６３に針側からシリンジＢを挿入する。そして、透明な箱体２６０を通してその内部を視認しながら、シリンジＢの針を薬剤密封容器Ａのゴム栓に差し込んで、シリンジＢ内の溶解液を薬剤密封容器Ａの中に注入し、溶解する。
【００４２】
溶解作業時に気泡抜き作業が必要な場合、シリンジＢを針先から気泡抜き窓２６５に挿入して、シリンジＢ内に溜まった気泡を排出する。シリンジＢから排出した空気は、気泡抜き窓２６５から吸引されて排気口２５１ａから排出される空気に従い、下部空間７へ排出される。こうすることで、シリンジＢ内に薬剤を吸引した後の空気抜き作業による暴露事故を効果的に抑制できる。
【００４３】
薬剤の溶解が完了したら、シリンジＢの針を薬剤密封容器Ａから引き抜くとともに、充填具挿入口２６３からシリンジＢを取り出す。
【００４４】
この際、安全キャビネット１００の作業室４の空気が、シリンジ挿通部２７ａと外枠２７ｂの間の空間から、暴露防止箱２０に流入し、排気口２５１ａから安全キャビネット１００の下部空間７に排出される。このため、シリンジＢと薬剤密封容器Ａの間の薬剤の移送作業により漏出した薬剤の有害塵埃等は下部空間７へ排出されるため、作業者の暴露事故を効果的に防止できる。
【００４５】
（第３実施形態）
図１４は、本発明の第３実施形態に係る暴露防止箱の容器保持部３５３を示している。第３実施形態の箱体は、第２実施形態の箱体２６０と共通するため、図示、及び説明は省略する。
【００４６】
容器保持部３５３は、図１４（ｅ）に示すように、薬剤密封容器Ａを包持する保持枠３５３ａと、保持枠３５３ａを支持する基台３５３ｂと、基台３５３ｂを底壁２５１に固定するフランジ３５３ｃとを備えている。
【００４７】
保持枠３５３ａは、図１４（ａ）に示すように、半円より長い円弧状に設けられ薬剤密封容器Ａのネック部を保持するネック保持部３５３ａ１（図１４（ｂ）参照）、及び薬剤密封容器Ａの胴体部を支持する胴部保持部３５３ａ２（図１４（ｃ）参照）と、支柱３５３ａ３と、円盤状の台座３５３ａ４（図１４（ｄ）参照）とからなる。支柱３５３ａ３は、台座３５３ａ４の周縁に立設され、ネック保持部３５３ａ１、及び胴部保持部３５３ａ２は、周方向の中央で、共に開口部が箱体２６０の搬入口２６７を向くように支柱３５３ａ３に連結されている。
【００４８】
基台３５３ｂは、軸方向を鉛直方向とする中実の円柱、又は有蓋円筒状からなり、下端をフランジ３５３ｃに接着固定されている。保持枠３５３ａは、台座３５３ａ４を基台３５３ｂにねじ固定される。フランジ３５３ｃは、底壁２５１にねじ固定される。なお台座３５３a４と基台３５３ｂにワンタッチで脱着容易な器具を取り付けることにより、薬剤密封容器等のサイズに応じてアダプターを取り換えることが可能な機構を装備することもできる。
【００４９】
（第４実施形態）
図１５は、本発明の第４実施形態に係る暴露防止箱４０を示す。暴露防止箱４０は、箱体４６０と、容器保持部４５３とを備えている。第４実施形態は、この容器保持部４５３が揺動可能に構成されている。
尚、第４実施形態の箱体４６０は、天壁４６２以外の部分が第２実施形態の箱体２６０と共通するため、同一符号を付して説明を省略する。
【００５０】
箱体４６０の天壁４６２は、図１５（ａ）に示すように、切妻屋根状に形成され、正面視における左右方向の中央の尾根部４６２ａと、尾根部４６２ａから正面視左右方向へ下る、左右一対の傾斜部４６２ｂ，４６２ｂを有している。天壁４６２は、図１５（ｂ）に示すように、前後方向の中央に、左右方向に延びる帯状の充填具挿入口４６３を有している。充填具挿入口４６３は、容器保持部４５３の直上を通過し、天壁４６２を前後２つに等分している。
暴露防止箱４０では、充填具挿入口４６３から空気を吸引し、排気口２５１ａから排気する。
【００５１】
容器保持部４５３は、第３実施形態と共通する保持枠３５３ａと、保持枠３５３ａを揺動可能に支持する基台４５３ｂと、基台４５３ｂを底壁２５１に固定するフランジ４５３ｃとを備えている。
【００５２】
基台４５３ｂは、軸方向を鉛直方向とする中実の円柱、又は有蓋円筒状の基台本体部４５３ｂ１と、基台本体部４５３ｂ１の上面中央から延出する揺動支持杆４５３ｂ２と、揺動支持杆４５３ｂ２を揺動可能に支持する枢支部４５３ｂ３とを備えている。
【００５３】
図１６は、暴露防止箱４０を用いて、薬剤の調整を行う方法を示している。まず、図１６（ａ）に示したように、保持枠３５３ａに薬剤密封容器Ａを載置すると、充填具挿入口４６３から、予め溶解液を吸入したシリンジＢの針を、充填具挿入口４６３へ挿入する。そして、透明な箱体４６０を通して内部を視認しながら、シリンジＢの針を薬剤密封容器Ａのゴム栓に刺し込み、シリンジＢの溶解液を薬剤密封容器Ａへ注入する。
【００５４】
そして、このまま薬剤密封容器ＡにシリンジＢの針を刺した状態で、図１６（ｄ）、（ｅ）に示すように、シリンジＢを左右に交互に傾倒させ、薬剤密封容器Ａを容器保持部４５３ａごと左右に揺動させる。この際、シリンジＢの針は、左右に傾倒しながら、帯状の充填具挿入口４６３内を走行する。こうして、薬剤密封容器Ａ内の薬剤が溶解液により溶解されることを促すことができる。
薬剤の溶解完了後、第２実施形態と同様にシリンジＢの気泡抜きを行う。
このように、箱体４６０の内部で薬剤密封容器Ａを揺動させることで、揺動に伴い漏出した薬剤を、排気口２５１ａから排出できる。
【００５５】
（第５実施形態）
図１８は、本発明の第５実施形態に係る暴露防止箱５０を示す。暴露防止箱５０は、図１８（ｂ）に示すように、箱体５６０と、箱体５６０に内装される載置台５９とを備えている。
【００５６】
箱体５６０は、横長の直方体からなり、手前側の側壁５６４ｄに扉５６７ａにより開閉する５つの搬入口５６７を有し、天壁５６２に、扉５６３ａにより開閉する、５つの充填具挿入口５６３を有し、左側の側壁５６４ａに、扉５６５ａで開閉する気泡抜き窓５６５を備えている。暴露防止箱５０は、扉５６７ａを含む手前側の側壁５６４ｄのみが透明に設けられており、他の壁は、不透明に設けられている。
【００５７】
載置台５９は、図１７に示すように、透明な樹脂製の板材から切断加工した、底板５９ａ、左右一対の側板５９ｂ，５９ｂ、及び背板５９ｄを組み立てて前方及び上方に開口した略直方体の箱型に形成され、背板５９ｄに棚状に設けたネック保持板５９ｃ、胴部保持板５９ｅ、及び５枚の台座５５３ｃ、及び背板５９ｄを有している。また、暴露防止箱５０の底壁５５１には、平面視で、台座５５３ｃの間となる位置に、それぞれ２本ずつ、前後方向に延びるスリット状の排気口５５１ａが設けられており、これに合わせて、平面視の同じ位置で、載置台５９の底板５９ａに排気用スリット５９ｇが、胴部保持板５９ｅに排気用スリット５９ｆが、それぞれ設けられている。
【００５８】
載置台５９は、図１８に示すように、薬剤密封容器Ａを載置する容器保持部５５３を５箇所有している。容器保持部５５３は、ネック保持部５５３ａと、胴体保持部５５３ｂと、台座５５３ｃとからなり、ネック保持部５５３ａと、胴体保持部５５３ｂは、棚板状のネック保持板５９ｃと胴部保持板５９ｅの手前側端縁から平面視Ｕ字状に湾入する切欠きにより構成されている。ネック保持板５９ｃと胴体保持板５５は、左右一対の側板５９ｂ，５９ｂで支持されている。
ネック保持部５５３ａ、胴体保持部５５３ｂ、及び台座５５３ｃは、５つの容器保持部５５３で、それぞれ異なる大きさを有しており、異なる大きさの薬剤密封容器Ａ１~Ａ５を保持するよう構成されている。箱体５６０の、充填具挿入口５６３、搬入口５６７は、容器保持部５５３に対応するよう設けられている。
【００５９】
以上、本発明の暴露防止箱、安全キャビネット、及び局所排気装置は、上記の実施例に限らず、例えば、暴露防止箱の数は、１つ、又は５つに限らず２~４個でも６個以上でもよい。気泡抜き窓は、箱体の左右の側壁ではなく、正面の側壁に設けてもよいし、扉を設ける代わりに、開口面積の小さい小穴とすることで、箱内部の陰圧を確保するようにしてもよい。また、気泡抜き窓は、設けないようにしてもよい。暴露防止箱の箱体は、直方体に限らず、円筒形その他の公知の形態を適宜に選択できる。また、上述した実施形態の各構成は、適宜に組み合わせることができ、例えば、第１実施形態の容器保持部として、第２、第３実施形態の容器保持部を用いるようにしてもよく、第２、第３実施形態の容器保持部として第１実施形態の容器保持部を用いることもできる。第４実施形態の容器保持部に第２実施形態の容器保持部を用いてもよい。
【符号の説明】
【００６０】
安全キャビネット１００
暴露防止箱１０，２０，４０，５０
作業台２
作業板２１
暴露防止箱設置用開口部２２，２３
平蓋２２ａ，２３ａ
作業用開口部３
作業室４
支持台５
底壁５１，２５１，５５１
容器保持部５３，２５３，３５３，４５３，５５３
支持脚５２
排気口５１ａ，５１ｂ，２５１ａ，５５１ａ
覆い箱６
天壁６２，２６２，４６２，５６２
側壁６２ａ，６２ｂ，６２ｃ，６３ｄ，２６４ａ，２６４ｂ，２６４ｃ，２６４ｄ，５６４ａ，５６４ｄ
充填具挿入口６３，２６３，４６３，５６３
気泡抜き窓６５，２６５，５６５
下部空間７
底面７１
【図１】
2018187107.tif 000003
【図２】
2018187107.tif 000004
【図３】
2018187107.tif 000005
【図４】
2018187107.tif 000006
【図５】
2018187107.tif 000007
【図６】
2018187107.tif 000008
【図７】
2018187107.tif 000009
【図８】
2018187107.tif 000010
【図９】
2018187107.tif 000011
【図１０】
2018187107.tif 000012
【図１１】
2018187107.tif 000013
【図１２】
2018187107.tif 000014
【図１３】
2018187107.tif 000015
【図１４】
2018187107.tif 000016
【図１５】
2018187107.tif 000017
【図１６】
2018187107.tif 000018
【図１７】
2018187107.tif 000019
【図１８】
2018187107.tif 000020
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
作業用開口部から流入する外部の空気と、作業室内の空気とを前記作業室の下部空間へ吸引することにより前記作業用開口部を気流によりシールドする開放型の安全キャビネットや局所排気装置の作業室に付設し、シリンジ、又はピペットからなる充填具を用いることが可能で、薬剤密封容器内の薬剤や有機溶剤の調製を行う際に用いる暴露防止箱であって、
底壁、天壁、及び側壁からなる中空の箱体と、
前記底壁に設けられ、薬剤密封容器を保持する一又は複数の容器保持部と
を備え、
前記底壁は、前記作業室の下部空間へ連通する排気口を有し、
前記天壁は、前記容器保持部に対向する位置に前記充填具を挿入可能な充填具挿入口を有し、
前記箱体は、前記側壁、及び前記天壁が一体に形成されて覆い箱をなし、前記底壁に対し前記覆い箱を着脱して開閉するよう構成されていることを特徴とする暴露防止箱。
【請求項２】
作業用開口部から流入する外部の空気と、作業室内の空気とを前記作業室の下部空間へ吸引することにより前記作業用開口部を気流によりシールドする開放型の安全キャビネットや局所排気装置の作業室に付設し、シリンジ、又はピペットからなる充填具を用いることが可能で、薬剤密封容器内の薬剤や有機溶剤の調製を行う際に用いる暴露防止箱であって、
底壁、天壁、及び側壁からなる中空の箱体と、
前記底壁に設けられ、薬剤密封容器を保持する一又は複数の容器保持部と
を備え、
前記底壁は、前記作業室の下部空間へ連通する排気口を有し、
前記天壁は、前記容器保持部に対向する位置に前記充填具を挿入可能な充填具挿入口を有し、
前記側壁は、シリンジを横倒しにした状態で針先から挿入可能な気泡抜き窓を有することを特徴とする暴露防止箱。
【請求項３】
作業用開口部から流入する外部の空気と、作業室内の空気とを前記作業室の下部空間へ吸引することにより前記作業用開口部を気流によりシールドする開放型の安全キャビネットや局所排気装置の作業室に付設し、シリンジ、又はピペットからなる充填具を用いることが可能で、薬剤密封容器内の薬剤や有機溶剤の調製を行う際に用いる暴露防止箱であって、
底壁、天壁、及び側壁からなる中空の箱体と、
前記底壁に設けられ、薬剤密封容器を保持する一又は複数の容器保持部と
を備え、
前記底壁は、前記作業室の下部空間へ連通する排気口を有し、
前記天壁は、前記容器保持部に対向する位置に前記充填具を挿入可能な充填具挿入口を有し、
使用するシリンジの外径に合わせて前記充填具挿入口の内径を変更すべく前記充填具挿入口に設置するアダプターを有することを特徴とする暴露防止箱。
【請求項４】
作業用開口部から流入する外部の空気と、作業室内の空気とを前記作業室の下部空間へ吸引することにより前記作業用開口部を気流によりシールドする開放型の安全キャビネットや局所排気装置の作業室に付設し、シリンジ、又はピペットからなる充填具を用いることが可能で、薬剤密封容器内の薬剤や有機溶剤の調製を行う際に用いる暴露防止箱であって、
底壁、天壁、及び側壁からなる中空の箱体と、
前記底壁に設けられ、薬剤密封容器を保持する一又は複数の容器保持部と
を備え、
前記底壁は、前記作業室の下部空間へ連通する排気口を有し、
前記天壁は、前記容器保持部に対向する位置に前記充填具を挿入可能な充填具挿入口を有し、
前記充填具挿入口は、長穴状をなし、前記容器保持部は、前記充填具挿入口に沿って揺動可能に支持されていることを特徴とする暴露防止箱。
【請求項５】
前記天壁、及び前記側壁は、透明材料からなる請求項１から請求項４のいずれか１項に記載の暴露防止箱。
【請求項６】
前記底壁は、平面視で、前記気泡抜き窓のシリンジ挿入方向に、排気口を有する請求項２に記載の暴露防止箱。
【請求項７】
前記容器保持部は、粘着シートに薬剤密封容器を固着するよう構成されている請求項１から請求項６のいずれか１項に記載の暴露防止箱。
【請求項８】
前記容器保持部は、巻ばねで薬剤密封容器を包持するよう構成されている請求項１から請求項６のいずれか１項に記載の暴露防止箱。
【請求項９】
作業用開口部から流入する外部の空気と、作業室内の空気とを前記作業室の下部空間へ吸引することにより前記作業用開口部を気流によりシールドする開放型の安全キャビネット、又は局所排気装置であって、
シリンジ、又はピペットからなる充填具を用いることが可能で、薬剤密封容器内の薬剤や有機溶剤の調製を行う際に用い、底壁、天壁、及び側壁からなる中空の箱体と、前記底壁に設けられ、薬剤密封容器を保持する一又は複数の容器保持部とを備え、前記底壁は、前記作業室の下部空間へ連通する排気口を有し、前記天壁は、前記容器保持部に対向する位置に前記充填具を挿入可能な充填具挿入口を有する暴露防止箱を備え、
前記作業室の底壁をなす作業板を貫通して前記下部空間へ連通する暴露防止箱設置用開口部と、前記暴露防止箱設置用開口部を塞ぐ平蓋とを有し、
前記暴露防止箱は、前記平蓋を開放した状態で、前記暴露防止箱設置用開口部に設置される安全キャビネット、又は局所排気装置。
【請求項１０】
前記暴露防止箱を複数備え、各暴露防止箱が大きさの異なる充填具挿入口を有する請求項９に記載の安全キャビネット、又は局所排気装置。
【手続補正２】
【補正対象書類名】明細書
【補正対象項目名】０００７
【補正方法】変更
【補正の内容】
【０００７】
上記の課題を解決するためになされた発明は、作業用開口部から流入する外部の空気と、作業室内の空気とを前記作業室の下部空間へ吸引することにより前記作業用開口部を気流によりシールドする開放型の安全キャビネットや局所排気装置の作業室に付設し、シリンジ、又はピペットからなる充填具を用いることが可能で、薬剤密封容器内の薬剤や有機溶剤の調製を行う際に用いる暴露防止箱であって、底壁、天壁、及び側壁からなる中空の箱体と、前記底壁に設けられ、薬剤密封容器を保持する一又は複数の容器保持部とを備え、前記底壁は、前記作業室の下部空間へ連通する排気口を有し、前記天壁は、前記容器保持部に対向する位置に前記充填具を挿入可能な充填具挿入口を有することを前提とする。
そして、本発明の暴露防止箱は、前記箱体が、前記側壁、及び前記天壁が一体に形成されて覆い箱をなし、前記底壁に対し前記覆い箱を着脱して開閉するよう構成されていることを特徴とする。
【手続補正３】
【補正対象書類名】明細書
【補正対象項目名】０００９
【補正方法】変更
【補正の内容】
【０００９】
そして、本発明の暴露防止箱では、前記箱体は、前記側壁、及び前記天壁が一体に形成されて覆い箱をなし、前記底壁に対し前記覆い箱を着脱して開閉するよう構成されていることで、暴露防止箱の内部を容易に清掃することができる。
【手続補正４】
【補正対象書類名】明細書
【補正対象項目名】００１０
【補正方法】変更
【補正の内容】
【００１０】
本発明は、上記の前提に加え、前記側壁が、シリンジを横倒しにした状態で針先から挿入可能な気泡抜き窓を有することを特徴とする暴露防止箱を含む。こうすることで、シリンジから薬剤密封容器に溶解液を注入したのちなどに、気泡抜き窓から暴露防止箱内部にシリンジの先端を差し込み、シリンジ内部に侵入した気泡を針先から排出することができる。
【手続補正５】
【補正対象書類名】明細書
【補正対象項目名】００１１
【補正方法】変更
【補正の内容】
【００１１】
本発明は、上記の前提に加え、使用するシリンジの外径に合わせて前記充填具挿入口の内径を変更すべく前記充填具挿入口に設置するアダプターを有することを特徴とする暴露防止箱を含む。これにより、使用するシリンジやピペットの外径に合わせたアダプターを装着することで、充填具挿入口に挿入するシリンジやピペットを、確実に案内することができる。また、１つの暴露防止箱を複数種のシリンジやピペットに用いることができる。
【手続補正６】
【補正対象書類名】明細書
【補正対象項目名】００１２
【補正方法】変更
【補正の内容】
【００１２】
本発明の暴露防止箱は、上記の前提に加え、前記充填具挿入口が、長穴状をなし、前記容器保持部は、前記充填具挿入口に沿って揺動可能に支持されていることを特徴とするものを含む。こうすることで、例えば、シリンジの針を薬剤密封容器に刺した状態で、シリンジ、及び薬剤密封容器を、長穴状の充填具挿入口に沿って揺動させることができる。
【手続補正７】
【補正対象書類名】明細書
【補正対象項目名】００１３
【補正方法】変更
【補正の内容】
【００１３】
前記天壁、及び前記側壁は、透明材料からなることが好ましい。このように、側壁、及
び天壁を透明にすることで、暴露防止箱の外部から、薬剤密封容器と、針やピペットの先
端部の位置を確認しながら薬剤の調整等を行うことができ、また、暴露防止箱の向こう側
へ不用意にシリンジを落とした場合等にも、暴露防止箱の手前から、シリンジの位置を確
認して拾うことができるため、この際にも誤って針で手を刺すことがない。
【手続補正８】
【補正対象書類名】明細書
【補正対象項目名】００１４
【補正方法】変更
【補正の内容】
【００１４】
前記の気泡抜き窓を備える暴露防止箱では、底壁が、平面視で、前記気泡抜き窓のシリンジ挿入方向に、排気口を有することが好ましい。こうすることで、シリンジから排出された空気を作業室へ漏らすことなく、排出することができる。
【手続補正９】
【補正対象書類名】明細書
【補正対象項目名】００１５
【補正方法】変更
【補正の内容】
【００１５】
前記容器保持部は、粘着シートに薬剤密封容器を固着するよう構成されていることが好
ましい。こうすることで、多様なサイズの薬剤密封容器を容器保持部で保持でき、また薬
剤密封容器が倒れることを抑制できる。
【手続補正１０】
【補正対象書類名】明細書
【補正対象項目名】００１６
【補正方法】変更
【補正の内容】
【００１６】
前記容器保持部は、巻ばねで薬剤密封容器を固定するよう構成されていてもよい。こう
することで、より安定して薬剤密封容器を支持することができる。
【手続補正１１】
【補正対象書類名】明細書
【補正対象項目名】００１７
【補正方法】変更
【補正の内容】
【００１７】
本発明は、作業用開口部から流入する外部の空気と、作業室内の空気とを前記作業室の下部空間へ吸引することにより前記作業用開口部を気流によりシールドする開放型の安全キャビネット、又は局所排気装置であって、シリンジ、又はピペットからなる充填具を用いることが可能で、薬剤密封容器内の薬剤や有機溶剤の調製を行う際に用い、底壁、天壁、及び側壁からなる中空の箱体と、前記底壁に設けられ、薬剤密封容器を保持する一又は複数の容器保持部とを備え、前記底壁は、前記作業室の下部空間へ連通する排気口を有し、前記天壁は、前記容器保持部に対向する位置に前記充填具を挿入可能な充填具挿入口を有する暴露防止箱を備え、前記作業室の底壁をなす作業板を貫通して前記下部空間へ連通する暴露防止箱設置用開口部と、前記暴露防止箱設置用開口部を塞ぐ平蓋とを有し、前記暴露防止箱は、前記平蓋を開放した状態で、前記暴露防止箱設置用開口部に設置される安全キャビネット、又は局所排気装置を含む。
このように、安全キャビネットの作業板に下部空間へ連通する暴露防止箱設置用開口部
を設け、暴露防止箱を暴露防止箱設置用開口部に設置するようにしたので、暴露防止箱底
壁の排気口を容易に安全キャビネット等の下部空間に連通させることができる。さらに、
暴露防止箱設置用開口部を塞ぐ平蓋を設けたので、薬剤等の調製を行わないときには、暴
露防止箱を取り外し、暴露防止箱設置用開口部を平蓋で塞げば、作業台を広く用いること
ができる。
【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
作業用開口部から流入する外部の空気と、作業室内の空気とを前記作業室の下部空間へ吸引することにより前記作業用開口部を気流によりシールドする開放型の安全キャビネットや局所排気装置の作業室に付設し、シリンジ、又はピペットからなる充填具を用いることが可能で、薬剤密封容器内の薬剤や有機溶剤の調製を行う際に用いる暴露防止箱であって、
底壁、天壁、及び側壁からなる中空の箱体と、
前記底壁に設けられ、薬剤密封容器を保持する一又は複数の容器保持部と
を備え、
前記底壁は、前記作業室の下部空間へ連通する排気口を有し、
前記天壁は、前記容器保持部に対向する位置に前記充填具を挿入可能な充填具挿入口を有し、
前記箱体は、前記側壁、及び前記天壁が一体に形成されて覆い箱をなし、前記底壁に対し前記覆い箱を着脱して開閉するよう構成されていることを特徴とする暴露防止箱。
【請求項２】
作業用開口部から流入する外部の空気と、作業室内の空気とを前記作業室の下部空間へ吸引することにより前記作業用開口部を気流によりシールドする開放型の安全キャビネットや局所排気装置の作業室に付設し、シリンジからなる充填具を用いることが可能で、薬剤密封容器内の薬剤や有機溶剤の調製を行う際に用いる暴露防止箱であって、
底壁、天壁、及び側壁からなる中空の箱体と、
前記底壁に設けられ、薬剤密封容器を保持する一又は複数の容器保持部と
を備え、
前記底壁は、前記作業室の下部空間へ連通する排気口を有し、
前記天壁は、前記容器保持部に対向する位置に前記充填具を挿入可能な充填具挿入口を有し、
前記側壁は、前記シリンジを横倒しにした状態で針先から挿入可能な気泡抜き窓を有することを特徴とする暴露防止箱。
【請求項３】
作業用開口部から流入する外部の空気と、作業室内の空気とを前記作業室の下部空間へ吸引することにより前記作業用開口部を気流によりシールドする開放型の安全キャビネットや局所排気装置の作業室に付設し、シリンジからなる充填具を用いることが可能で、薬剤密封容器内の薬剤や有機溶剤の調製を行う際に用いる暴露防止箱であって、
底壁、天壁、及び側壁からなる中空の箱体と、
前記底壁に設けられ、薬剤密封容器を保持する一又は複数の容器保持部と
を備え、
前記底壁は、前記作業室の下部空間へ連通する排気口を有し、
前記天壁は、前記容器保持部に対向する位置に前記充填具を挿入可能な充填具挿入口を有し、
使用するシリンジの外径に合わせて前記充填具挿入口の内径を変更すべく前記充填具挿入口に設置するアダプターを有することを特徴とする暴露防止箱。
【請求項４】
作業用開口部から流入する外部の空気と、作業室内の空気とを前記作業室の下部空間へ吸引することにより前記作業用開口部を気流によりシールドする開放型の安全キャビネットや局所排気装置の作業室に付設し、シリンジ、又はピペットからなる充填具を用いることが可能で、薬剤密封容器内の薬剤や有機溶剤の調製を行う際に用いる暴露防止箱であって、
底壁、天壁、及び側壁からなる中空の箱体と、
前記底壁に設けられ、薬剤密封容器を保持する一又は複数の容器保持部と
を備え、
前記底壁は、前記作業室の下部空間へ連通する排気口を有し、
前記天壁は、前記容器保持部に対向する位置に前記充填具を挿入可能な充填具挿入口を有し、
前記充填具挿入口は、長穴状をなし、前記容器保持部は、前記充填具挿入口に沿って揺動可能に支持されていることを特徴とする暴露防止箱。
【請求項５】
前記天壁、及び前記側壁は、透明材料からなる請求項１から請求項４のいずれか１項に
記載の暴露防止箱。
【請求項６】
前記底壁は、平面視で、前記気泡抜き窓のシリンジ挿入方向に、排気口を有する請求項２に記載の暴露防止箱。
【請求項７】
前記容器保持部は、粘着シートに薬剤密封容器を固着するよう構成されている請求項１から請求項６のいずれか１項に記載の暴露防止箱。
【請求項８】
前記容器保持部は、巻ばねで薬剤密封容器を包持するよう構成されている請求項１から請求項６のいずれか１項に記載の暴露防止箱。
【請求項９】
作業用開口部から流入する外部の空気と、作業室内の空気とを前記作業室の下部空間へ吸引することにより前記作業用開口部を気流によりシールドする開放型の安全キャビネット、又は局所排気装置であって、
シリンジ、又はピペットからなる充填具を用いることが可能で、薬剤密封容器内の薬剤や有機溶剤の調製を行う際に用い、底壁、天壁、及び側壁からなる中空の箱体と、前記底壁に設けられ、薬剤密封容器を保持する一又は複数の容器保持部とを備え、前記底壁は、前記作業室の下部空間へ連通する排気口を有し、前記天壁は、前記容器保持部に対向する位置に前記充填具を挿入可能な充填具挿入口を有する暴露防止箱を備え、
前記作業室の底壁をなす作業板を貫通して前記下部空間へ連通する暴露防止箱設置用開口部と、前記暴露防止箱設置用開口部を塞ぐ平蓋とを有し、
前記暴露防止箱は、前記平蓋を開放した状態で、前記暴露防止箱設置用開口部に設置される安全キャビネット、又は局所排気装置。
【請求項１０】
前記暴露防止箱を複数備え、各暴露防止箱が大きさの異なる充填具挿入口を有する請求項９に記載の安全キャビネット、又は局所排気装置。
【手続補正２】
【補正対象書類名】明細書
【補正対象項目名】００１０
【補正方法】変更
【補正の内容】
【００１０】
本発明は、作業用開口部から流入する外部の空気と、作業室内の空気とを前記作業室の下部空間へ吸引することにより前記作業用開口部を気流によりシールドする開放型の安全キャビネットや局所排気装置の作業室に付設し、シリンジからなる充填具を用いることが可能で、薬剤密封容器内の薬剤や有機溶剤の調製を行う際に用いる暴露防止箱であって、底壁、天壁、及び側壁からなる中空の箱体と、前記底壁に設けられ、薬剤密封容器を保持する一又は複数の容器保持部とを備え、前記底壁は、前記作業室の下部空間へ連通する排気口を有し、前記天壁は、前記容器保持部に対向する位置に前記充填具を挿入可能な充填具挿入口を有し、前記側壁が、前記シリンジを横倒しにした状態で針先から挿入可能な気泡抜き窓を有することを特徴とする暴露防止箱を含む。こうすることで、シリンジから薬剤密封容器に溶解液を注入したのちなどに、気泡抜き窓から暴露防止箱内部にシリンジの先端を差し込み、シリンジ内部に侵入した気泡を針先から排出することができる。
【手続補正３】
【補正対象書類名】明細書
【補正対象項目名】００１１
【補正方法】変更
【補正の内容】
【００１１】
本発明は、作業用開口部から流入する外部の空気と、作業室内の空気とを前記作業室の下部空間へ吸引することにより前記作業用開口部を気流によりシールドする開放型の安全キャビネットや局所排気装置の作業室に付設し、シリンジからなる充填具を用いることが可能で、薬剤密封容器内の薬剤や有機溶剤の調製を行う際に用いる暴露防止箱であって、底壁、天壁、及び側壁からなる中空の箱体と、前記底壁に設けられ、薬剤密封容器を保持する一又は複数の容器保持部とを備え、前記底壁は、前記作業室の下部空間へ連通する排気口を有し、前記天壁は、前記容器保持部に対向する位置に前記充填具を挿入可能な充填具挿入口を有し、使用するシリンジの外径に合わせて前記充填具挿入口の内径を変更すべく前記充填具挿入口に設置するアダプターを有することを特徴とする暴露防止箱を含む。これにより、使用するシリンジやピペットの外径に合わせたアダプターを装着することで、充填具挿入口に挿入するシリンジやピペットを、確実に案内することができる。また、１つの暴露防止箱を複数種のシリンジやピペットに用いることができる。